(57)【要約】【課題】ロール紙を搬送するモータの駆動力をシャッタに作用させるギア構成を簡単にし、装置本体のコストダウンを図ったフォトプリンタを提供する。【解決手段】ロール紙２を搬送するモータの駆動力がシャッタ６に作用し、このシャッタ６が移動する。イエローの感熱発色層に形成した画像を定着させるとき、イエロー用定着ランプ５の上方に上記シャッタ６を位置させ、ロック部材７でシャッタ６の移動を制限しておく。ロール紙を本体に引き込み、今回の画像形成領域の後端部が前記シャッタの先端部近傍に位置したときに、ロック部材７による該シャッタ６の移動の制限を解除し、該シャッタ６をロール紙２に同期させて移動させる。【選択図】図１
2005007739.tif 000002
【特許請求の範囲】
【請求項１】
イエロー、マゼンダ、シアンの感熱発色層が形成されたロール紙を搬送モータにより搬送する搬送手段と、
上記搬送手段が搬送しているロール紙の感熱発色層毎に感熱温度を変えて感熱記録を行って画像を形成するサーマルヘッド、上記サーマルヘッドがマゼンダの感熱発色層に形成された画像を定着させるマゼンダ用定着ランプ、上記サーマルヘッドがイエローの感熱発色層に形成した画像を定着させるイエロー用定着ランプが、この順に排紙方向に並べられ、
上記イエロー用定着ランプ、およびマゼンダ用定着ランプと、ロール紙との間に移動自在に配置され、ロール紙が露光される領域を制限するシャッタと、
上記シャッタに、上記搬送モータの駆動力を伝達し、ロール紙の搬送方向と同じ方向に該シャッタを移動させるシャッタ移動手段と、を備え、
上記イエローの感熱発色層に形成した画像を定着させるとき、イエロー用定着ランプの上方に上記シャッタを位置させておき、ロール紙を本体に引き込み、今回の画像形成領域の後端部が前記シャッタの先端部近傍に位置したとき、該シャッタをロール紙とともに移動させるフォトプリンタにおいて、
上記シャッタが上記イエロー用定着ランプの上方に位置している第１の状態において、上記シャッタ移動手段により上記イエロー用定着ランプから上記マゼンダ定着ランプの方向に移動させる向きの駆動力がシャッタに作用しているときに、該シャッタが移動するのを制限する移動ロック手段と、
上記サーマルヘッドと上記マゼンダ用定着ランプとの間に配置され、ロール紙の幅方向にカッタの刃を移動させて、ロール紙をカットするカット手段と、
上記シャッタが移動する範囲を制限するストッパと、を備え、
上記移動ロック手段は、該カット手段によるカッタの刃の位置が特定の位置であるときにシャッタの移動を制限するロック状態となり、その他の位置にあるときにアンロック状態となるフォトプリンタ。
【請求項２】
イエロー、マゼンダ、シアンの感熱発色層が形成されたロール紙を搬送モータにより搬送する搬送手段と、
上記搬送手段が搬送しているロール紙の感熱発色層毎に感熱温度を変えて感熱記録を行って画像を形成するサーマルヘッド、上記サーマルヘッドがマゼンダの感熱発色層に形成された画像を定着させるマゼンダ用定着ランプ、上記サーマルヘッドがイエローの感熱発色層に形成した画像を定着させるイエロー用定着ランプが、この順に排紙方向に並べられ、
上記イエロー用定着ランプ、およびマゼンダ用定着ランプと、ロール紙との間に移動自在に配置され、ロール紙が露光される領域を制限するシャッタと、
上記シャッタに、上記搬送モータの駆動力を伝達し、ロール紙の搬送方向と同じ方向に該シャッタを移動させるシャッタ移動手段と、を備え、
上記イエローの感熱発色層に形成した画像を定着させるとき、イエロー用定着ランプの上方に上記シャッタを位置させておき、ロール紙を本体に引き込み、今回の画像形成領域の後端部が前記シャッタの先端部近傍に位置したとき、該シャッタをロール紙とともに移動させるフォトプリンタにおいて、
上記シャッタが上記イエロー用定着ランプの上方に位置している第１の状態において、上記シャッタ移動手段により上記イエロー用定着ランプから上記マゼンダ定着ランプの方向に移動させる向きの駆動力がシャッタに作用しているときに、該シャッタが移動するのを制限する移動ロック手段を備えたフォトプリンタ。
【請求項３】
上記サーマルヘッドと上記マゼンダ用定着ランプとの間に配置され、ロール紙の幅方向にカッタの刃を移動させて、ロール紙をカットするカット手段を備え、
上記移動ロック手段は、該カット手段によるカッタの刃の位置が特定の位置であるときにシャッタの移動を制限するロック状態となり、その他の位置にあるときにアンロック状態となる請求項２に記載のフォトプリンタ。
【請求項４】
上記シャッタが移動する範囲を制限するストッパを備えた請求項２、または３に記載のフォトプリンタ。
【発明の詳細な説明】
【０００１】
【発明の属する技術分野】
この発明は、イエロー、マゼンダ、シアンの感熱発色層が形成されたロール紙にカラー画像を形成するフォトプリンタに関する。
【０００２】
【従来の技術】
従来、イエロー、マゼンダ、シアンの感熱発色層が形成されたロール紙にカラー画像を形成するフォトプリンタがあった。一般的なフォトプリンタは、特許文献１、２に示されているように、以下に示す（１）〜（６）にかかる一連の処理を行って、カラー画像を形成する。また、この（１）〜（６）のそれぞれの処理は、ロール紙を送り出しながら、または引き込みながら、今回カラー画像を形成する画像形成領域に対して行われる。
（１）イエローの感熱発色層に対して感熱印字を行い、イエロー画像を形成
（２）イエロー用定着ランプで露光して、このイエロー画像を定着
（３）マゼンダの感熱発色層に対して感熱印字を行い、マゼンダ画像を形成
（４）マゼンダ用定着ランプで露光して、このマゼンダ画像を定着
（５）シアンの感熱発色層に対して感熱印字を行い、シアン画像を形成
（６）画像形成領域をロール紙から切り離して排紙
なお、シアン画像は自然光に含まれている紫外線で露光されて定着する。
【０００３】
ロール紙に画像を形成するフォトプリンタには、今回画像を形成する部分（画像形成領域）と画像を形成しない部分（画像未形成領域）との境界部付近において、定着用ランプで露光される画像未形成領域を抑えるために、特許文献１、２に示されているシャッタが設けられている。このシャッタは、定着用ランプで露光された画像未形成領域が次回の画像形成に利用できず無駄になるので、この無駄になる部分を抑え、ロール紙を有効に使用するために設けている。具体的には、画像形成領域と画像未形成領域との境界部付近が定着用ランプによる露光位置を搬送されているときに、画像未形成領域をシャッタで覆うことにより、露光されてしまう画像未形成領域を抑えている。
【０００４】
【特許文献１】
特開平１０−２９３２８号公報
【特許文献２】
特開２００１−２３９６８７号公報
【０００５】
【発明が解決しようとする課題】
しかしながら、特許文献１に示されているフォトプリンタは、ロール紙を搬送する搬送モータの駆動力でシャッタを移動させる構成であり、定着用ランプによる露光を行うとき、搬送されているロール紙に対するシャッタの位置が適正な位置、すなわち画像形成領域と画像未形成領域との境界部付近から画像未形成領域を覆う位置、になったときに、シャッタの移動を開始させるために、搬送モータの駆動力がシャッタに作用する状態と、作用しない状態との切り換えを行う電磁クラッチを設けている。搬送モータの駆動力は、複数のギアを介してシャッタに伝達される。このギア群の中に、上記電磁クラッチを設けている。このため、搬送モータの駆動力をシャッタに伝達するギア群の構成が複雑であり、装置本体が高価であった。
【０００６】
また、特許文献２に示されているフォトプリンタは、シャッタを移動させるモータと、ロール紙を搬送するモータと、を別々に設けているので、シャッタを移動させるために電磁クラッチを用いる必要がなく、ギア群の構成については簡単にできるが、モータを２つ設けるため、装置本体の大型化、コストアップという問題がある。
【０００７】
この発明の目的は、ロール紙を搬送するモータの駆動力をシャッタに作用させるギア構成を簡単にし、装置本体のコストダウンを図ったフォトプリンタを提供することにある。
【０００８】
【課題を解決するための手段】
この発明のフォトプリンタは、以下の構成を備えている。
【０００９】
（１）イエロー、マゼンダ、シアンの感熱発色層が形成されたロール紙を搬送モータにより搬送する搬送手段と、
上記搬送手段が搬送しているロール紙の感熱発色層毎に感熱温度を変えて感熱記録を行って画像を形成するサーマルヘッド、上記サーマルヘッドがマゼンダの感熱発色層に形成された画像を定着させるマゼンダ用定着ランプ、上記サーマルヘッドがイエローの感熱発色層に形成した画像を定着させるイエロー用定着ランプが、この順に排紙方向に並べられ、
上記イエロー用定着ランプ、およびマゼンダ用定着ランプと、ロール紙との間に移動自在に配置され、ロール紙が露光される領域を制限するシャッタと、
上記シャッタに、上記搬送モータの駆動力を伝達し、ロール紙の搬送方向と同じ方向に該シャッタを移動させるシャッタ移動手段と、を備え、
上記イエローの感熱発色層に形成した画像を定着させるとき、イエロー用定着ランプの上方に上記シャッタを位置させておき、ロール紙を本体に引き込み、今回の画像形成領域の後端部が前記シャッタの先端部近傍に位置したとき、該シャッタをロール紙とともに移動させるフォトプリンタにおいて、
上記シャッタが上記イエロー用定着ランプの上方に位置している第１の状態において、上記シャッタ移動手段により上記イエロー用定着ランプから上記マゼンダ定着ランプの方向に移動させる向きの駆動力がシャッタに作用しているときに、該シャッタが移動するのを制限する移動ロック手段を備えている。
【００１０】
この構成では、ロール紙を搬送するモータの駆動力がシャッタに作用し、シャッタが移動する。上記シャッタが上記イエロー用定着ランプの上方に位置している第１の状態では、シャッタに上記イエロー用定着ランプから上記マゼンダ定着ランプの方向に移動させる向きの駆動力が作用しても、移動ロック手段により該シャッタの移動を制限できる。このため、イエローの感熱発色層に形成した画像を定着させるとき、イエロー用定着ランプの上方に上記シャッタを位置させておき、移動ロック手段により該シャッタの移動を制限し、ロール紙を本体に引き込む。そして、今回の画像形成領域の後端部が前記シャッタの先端部付近に位置するまでシャッタの移動を制限しつづける。その後、今回の画像形成領域の後端部が前記シャッタの先端部付近に位置したときに、移動ロック手段による該シャッタの移動の制限を解除し、該シャッタをロール紙とともに移動させる。
【００１１】
したがって、ロール紙を搬送する搬送モータの駆動力をシャッタに作用させるギア群に電磁クラッチ等を設ける必要がなく、ロール紙を搬送するモータの駆動力をシャッタに作用させるギア群の構成を簡単にでき、本体のコストダウンが図れる。
【００１２】
（２）上記サーマルヘッドと上記マゼンダ用定着ランプとの間に配置され、ロール紙の幅方向にカッタの刃を移動させて、ロール紙をカットするカット手段を備え、
上記移動ロック手段は、該カット手段によるカッタの刃の位置が特定の位置であるときにシャッタの移動を制限するロック状態となり、その他の位置にあるときにアンロック状態となる。
【００１３】
この構成では、ロール紙をカットするカッタの刃を移動させることにより、移動ロック手段によるシャッタの移動を制限するロック状態と、移動を制限しないアンロック状態との切り換えが行える。
【００１４】
（３）上記シャッタが移動する範囲を制限するストッパを備えている。
【００１５】
この構成では、シャッタが不必要な所まで搬送されるのを防止できる。
【００１６】
【発明の実施の形態】
以下、この発明の実施形態であるフォトプリンタについて説明する。
【００１７】
図１は、この発明の実施形態であるフォトプリンタの主要部を示す図であり、図１（Ａ）はシャッタがロックされている状態、図１（Ｂ）はシャッタがロックされていない状態を示している。図１において、１はフォトプリンタ本体であり、２はロール紙である。ロール紙２には、イエロー、マゼンダ、シアンの感熱発色層が形成されている。３はロール紙２のイエロー、マゼンダ、シアンの感熱発色層毎に感熱温度を変えて感熱記録を行うサーマルヘッド、４はマゼンダの感熱発色層に形成された画像を定着させるマゼンダ用定着ランプ、５はイエローの感熱発色層に形成された画像を定着させるイエロー用定着ランプである。マゼンダ用定着ランプ４、イエロー用定着ランプ５は、それぞれ下面および側面を囲むリフレクタ４ａ、５ａに収納されている。６はシャッタであり、一方のリフレクタ４ａ、５ａの上面全体を覆う大きさである。
【００１８】
図２は、マゼンダ用定着ランプ、イエロー用定着ランプを収納したリフレクタ周辺の上面図であり、図２（Ａ）はシャッタがロックされている状態、図２（Ｂ）はシャッタがロックされていない状態を示している。シャッタ６は、ロール紙２と、マゼンダ用定着ランプ４、イエロー用定着ランプ５との間に位置する。シャッタは、図１（Ａ）、図２（Ａ）に示すイエロー用定着ランプ５を収納したリフレクタ５ａの上面全体を覆う位置にあるとき、先端部が本体に設けられた第１のストッパ２１ａ、２１ｂに当接し、排紙側（図において右側）への移動が制限される。また、シャッタは、図１（Ｂ）、図２（Ｂ）に示すマゼンダ用定着ランプ４を収納したリフレクタ４ａの上面全体を覆う位置にあるとき、後端部が本体に設けられた第２のストッパ２２ａ、２２ｂに当接し、ロール紙２側（図において左側）への移動が制限される。すなわち、シャッタ６は第１のストッパ２１ａ、２１と、第２のストッパ２２ａ、２２ｂにより、その移動範囲が制限されている。シャッタ６は、図２（Ａ）に示す位置と、図２（Ｂ）に示す位置と、の間で移動する。シャッタ６の上面には、ラックギア６ａが形成されている。このラックギア６ａにはロール紙２を搬送する搬送モータの駆動力を伝達するギアが連結される。
【００１９】
７は、先端部が第１のストッパ２１ａ、２１ｂに当接しているシャッタ６が、ロール紙２側に移動するのを制限するロック部材である。このロック部材７は、支点７ａを軸に回動自在に取り付けられている。８は、ロック部材７の回動を制限する第３のストッパである。ロック部材７は、ロック状態（図２（Ａ）の状態）であるとき、図示するように折り曲げた先端部がシャッタ６の後端部に当接し、シャッタ６がロール紙２側に移動するのを制限する。また、アンロック状態（図２（Ｂ）の状態）であるとき、ロック部材７にシャッタ６が当接することはなく、シャッタ６は、その移動を制限されない。このように、ロック部材７は回動することにより、ロック状態、またはアンロック状態になる。９は、ロール紙２をカットする刃が取り付けられた台座である。台座９は図１において紙面に垂直方向に移動自在に取り付けられている。ロック部材７は、この台座９の移動により、シャッタ６の移動を制限するロック状態と、移動を制限しないアンロック状態と、の間で切り換えられる。台座９は、図示していないモータにより移動される。
【００２０】
図３に台座９の拡大図を示す。台座９は、図３に示すように、一方の側（図において右側）に比較的ゆるやかな傾斜面が形成されており、この傾斜面に連続してロック部材７の後端部が入り込む凹部が形成されている。図２（Ａ）に示す状態が、ロック部材７の後端部が台座９の凹部に入り込んでいる状態である（図３（Ａ）参照）。このときの台座９の位置をロック位置と言う。
【００２１】
この凹部は、図示するように傾斜面側が低く、その反対側が高い壁になっている。図３における左方向が、図２における上方向である。このとき、シャッタ６にリフレクタ５ａ側に移動させる向きの駆動力が作用しても、ロック部材７は、その後端部が台座９の凹部に入り込んでいるので、回動しない。このため、シャッタ６の移動が制限される。
【００２２】
また、台座９がロック位置から図３に示す左方向（図２に示す上方向）に移動すると、台座９の移動にともなってロック部材９が支点７ａを軸にして回動する。そして、さらに台座９を移動させると、ロック部材２の後端部が台座９の凹部から抜け出す（図３（Ｂ）、（Ｃ））。台座９の移動により回動されたロック部材７は、第３のストッパ８に当たって止まる。この状態が図２（Ｂ）に示す状態である。このとき、シャッタ６はロック部材７に当接することはなく、その移動を制限されない。
【００２３】
さらに、台座９をロック位置に戻せば、上記と逆の動きにより、台座９の凹部にロック部材７の後端部が入り込み、シャッタ６はロック部材７により、ロール紙２側への移動が制限される。このとき、ロック部材７の後端部は台座９の傾斜面に沿って凹部に入り込むので、スムーズに動作する。
【００２４】
なお、図２（Ｂ）に示す台座９の位置は、台座９に取り付けられている刃がロール紙２に当たらない位置であり、ロール紙２がカットされることはない。この位置を台座９の初期位置とする。
【００２５】
なお、この発明で言う特定の位置は、上記ロック位置である。
【００２６】
図１に戻って、１１は、ロール紙２を搬送する搬送ローラであり、図示していない搬送モータにより駆動される。また、１２〜１６は、搬送モータの駆動力を伝達し、シャッタ６を移動させるギア群である。ギア１６が、シャッタ６の上面に設けられたラックギア６ａに係合する。１７、１８は、排紙ローラである。
【００２７】
なお、上記説明では省略したが、ロール紙２の搬送路には、ロール紙２を排紙ローラ１７、１８まで導く搬送ローラが複数設けられている。
【００２８】
次に、この実施形態にかかるフォトプリンタ１におけるカラー画像の形成処理について説明する。フォトプリンタ１は、まず台座９の位置を図２（Ｂ）に示す初期位置に移動させる。このとき、イエロー用定着ランプ５、およびマゼンダ用定着ランプ４は消灯している。フォトプリンタ１は、搬送モータを駆動し、ロール紙２を送り出す。このとき、シャッタ６はロック部材７により移動が制限されていない（アンロック状態である。）。シャッタ６は、ギア群１２〜１６を介して伝達された搬送モータの駆動力により排紙ローラ１７、１８側へ移動し、先端部が第１のストッパ２１ａ、２１ｂに当接すると、その位置に停止する。フォトプリンタ１は、サーマルヘッド３よりも排紙ローラ１７、１８側へ、今回画像を形成するサイズを超えるロール紙２を送り出すと、搬送モータを停止する（図４（Ａ）参照）。
【００２９】
次に、フォトプリンタ１は搬送モータを逆回転させて、送り出したロール紙２を引き込みながら、サーマルヘッド３でイエローの感熱発色層に画像を形成する。このとき、シャッタ６はギア群１２〜１６を介して伝達された、搬送モータの駆動力により、ロール紙２側に引き込まれ、後端部が第２のストッパ２２ａ、２２ｂに当接し、停止する。フォトプリンタ１は、イエローの感熱発色層に対する画像の形成が完了すると、搬送モータを停止する（図４（Ｂ）参照）。
【００３０】
そして、ロール紙２を送り出す方向に、搬送モータを駆動する。このとき、シャッタ６は、搬送モータの駆動力がギア群１２〜１６を介して伝達され、排紙側へ移動し、先端部が第１のストッパ２１ａ、２１ｂに当接し、停止する。フォトプリンタ１は、今回画像を形成した画像形成領域の後端が第１のストッパ２１ａ、２１ｂに当接して停止しているシャッタ６の先端部より所定量だけ排紙ローラ１７、１８側に位置すると、搬送モータを停止する（図４（Ｃ）参照）。
【００３１】
ここで、フォトプリンタ１は、台座９を初期位置からロック位置に移動させる。これにより、ロック部材７の先端がシャッタ６後端部に当接し、該シャッタ６の移動を制限するロック状態（図２（Ａ）に示す状態）になる。フォトプリンタ１は、イエロー定着用ランプ５を点灯し、その後搬送モータを逆回転させてロール紙２を引き込む。このときシャッタ６には、ロール紙２側に引き込む方向の駆動力がギア群１２〜１６を介して伝達されるが、ロック部材７によりその移動が制限されているので移動しない。
【００３２】
フォトプリンタ１は、今回の画像形成領域の後端がシャッタ６の先端部近傍まで引き込まれると（図５（Ａ）参照）、台座９をロック位置から初期位置に移動させて、ロック部材７がシャッタ６の移動を制限しないアンロック状態（図２（Ｂ）に示す状態）に変化させる。このとき、台座９に取り付けられている刃によってロール紙２がカットされることはない。言い換えれば、台座９が初期位置にあるとき、台座９に設けられている刃はロール紙２に当たらない。
【００３３】
シャッタ６は、アンロック状態になったので、ロール紙２側に移動する。シャッタ６の移動速度と、ロール紙２の搬送速度と、が同じになるように、ギア群１２〜１６のギア比が決められている。フォトプリンタ１ではロール紙２の引き込みが継続されている。これにより、リフレクタ５ａの上方に位置しているシャッタ６がロール紙２側に引き込まれ、その上方に位置している画像形成領域が点灯しているイエロー用定着ランプ５により露光される（図５（Ｂ）参照）。また、画像未形成領域については、その下方にシャッタ６が位置しているので露光されない。
【００３４】
その後、シャッタ６は、その後端部が第２のストッパ２２ａ、２２ｂに当接し、停止する。フォトプリンタ１は、シャッタ６の停止後もロール紙２の引き込みを継続し、今回の画像形成領域全体をイエロー用定着ランプ５により露光する。フォトプリンタ１は、今回の画像形成領域の先端部が第２のストッパ２２ａ、２２ｂに当接し、停止しているシャッタ６の先端部よりもロール紙２側に位置すると、搬送モータを停止する（図５（Ｃ）参照）。また、この時点でイエロー用定着ランプ５を消灯する。
【００３５】
次に、フォトプリンタ１は、ロール紙２のマゼンダの感熱発色層に対する画像形成を行う。まず、搬送モータを駆動し、ロール紙２を送り出す。シャッタ６はロック部材７によりロックされていない。シャッタ６は、搬送モータの駆動力がギア群１２〜１６を介して伝達され、排紙ローラ１７、１８側へ移動し、先端部が第１のストッパ２１ａ、２１ｂに当接し、停止する。フォトプリンタ１は、サーマルヘッド３よりも排紙ローラ１７、１８側へ、イエローの感熱発色層に画像を形成した画像形成領域の後端が位置すると、搬送モータを停止する（図６（Ａ）参照）。
【００３６】
次に、フォトプリンタ１は、搬送モータを逆回転させて、送り出したロール紙２を引き込みながら、サーマルヘッド３でマゼンダの感熱発色層に画像を形成する。このとき、シャッタ６はギア群１２〜１６を介して伝達された、搬送モータの駆動力により、ロール紙２側に引き込まれ、後端部が第２のストッパ２２ａ、２２ｂに当接し、停止する。フォトプリンタ１は、マゼンダの感熱発色層に対する画像の形成が完了すると、搬送モータを停止する（図６（Ｂ）参照）。そして、マゼンダ用定着ランプ４を点灯させる。
【００３７】
その後、フォトプリンタ１は、ロール紙２を送り出す方向に、搬送モータを駆動する。このとき、シャッタ６は、搬送モータの駆動力がギア群１２〜１６を介して伝達され、排紙ローラ１７、１８側へ移動する。今回の画像形成領域の先端部がリフレクタ５ａの上方に位置したとき、すなわち今回の画像形成領域の先端部がマゼンダ用定着ランプ４の露光領域に達したとき、今回の画像形成領域の先端部の下にはシャッタ６が位置しておらず、今回の画像形成領域はマゼンダ用定着ランプ４により露光される（図６（Ｃ）参照）。
【００３８】
その後、シャッタ６は、先端部が第１のストッパ２１ａ、２１ｂに当接し、停止する。フォトプリンタ１は、今回の画像形成領域の後端がマゼンダ用定着ランプ４の露光領域に達すると（図７（Ａ）参照）、搬送モータを停止するとともに、マゼンダ用定着ランプ４を消灯する。
【００３９】
このように、フォトプリンタ１は、今回画像を形成した画像形成領域の後端がマゼンダ用定着ランプ４の露光領域に達すると、ロール紙２の送り出しを停止するので、今回画像を形成していない画像未形成領域についてはほとんど露光されない。
【００４０】
そして、フォトプリンタ１は、搬送モータを逆回転させて、ロール紙２を引き込みながら、サーマルヘッド３でシアンの感熱発色層に画像を形成する。このとき、シャッタ６はギア群１２〜１６を介して伝達された、搬送モータの駆動力により、ロール紙２側に引き込まれ、後端部が第２のストッパ２２ａ、２２ｂに当接し、停止する。フォトプリンタ１は、マゼンダの感熱発色層に対する画像の形成が完了すると、搬送モータを停止する（図７（Ｂ）参照）。
【００４１】
フォトプリンタ１は、ロール紙２を送り出す方向に、搬送モータを駆動する。このとき、シャッタ６は、搬送モータの駆動力がギア群１２〜１６を介して伝達され、排紙ローラ１７、１８側へ移動する。フォトプリンタ１は、今回の画像形成領域の後端部が、台座９に取り付けた刃によるカット位置に達すると、搬送モータを停止し、台座９をロール紙２の幅方向に移動させて、今回の画像形成領域をロール紙２から切り離す（図７（Ｃ）参照）。フォトプリンタ１は、この切り離したロール紙２、すなわち今回カラー画像を形成した用紙、を排出し、本処理を終了する。
【００４２】
このように、この実施形態のフォトプリンタ１は、ロール紙２を搬送する搬送モータの駆動力でシャッタ６を移動させ、且つシャッタ６の移動制限するロック部材７により、イエロー画像の定着時におけるロール紙２とシャッタ６の移動を同期させたので、搬送モータの駆動力をシャッタ６に伝達するギア群１２〜１６に電磁クラッチ等を設ける必要がない。これにより、ギヤ群１２〜１６の構成が簡単にでき、また組み立てにかかる手間も削減でき、本体のコストダウンが図れる。
【００４３】
また、ロック部材７によりシャッタ６の移動を制限するロック状態と、移動を制限しないアンロック状態と、の切り換えを、ロール紙２をカットするための既存の構成で実現したので、本体の一層のコストダウンが図れる。
【００４４】
【発明の効果】
このように、本願発明は、簡単な構成でイエロー画像の定着時におけるロール紙とシャッタの移動を同期させることができ、本体のコストダウンが図れる。
【００４５】
また、シャッタの移動を制限するロック状態と、移動を制限しないアンロック状態と、の切り換えを、ロール紙をカットするための既存の構成で実現したので、本体の一層のコストダウンが図れる。
【図面の簡単な説明】
【図１】この発明の実施形態であるフォトプリンタの主要部の構成を示す図である。
【図２】この発明の実施形態であるフォトプリンタにおけるマゼンダ用定着ランプ、イエロー用定着ランプを収納したリフレクタ周辺の上面図である。
【図３】ロール紙をカットする刃が取り付けられた台座を示す図である。
【図４】この発明の実施形態であるフォトプリンタの動作を説明する図である。
【図５】この発明の実施形態であるフォトプリンタの動作を説明する図である。
【図６】この発明の実施形態であるフォトプリンタの動作を説明する図である。
【図７】この発明の実施形態であるフォトプリンタの動作を説明する図である。
【符号の説明】
１−フォトプリンタ
２−ロール紙
３−サーマルヘッド
４−マゼンダ用定着ランプ
５−イエロー用定着ランプ
６−シャッタ
７−ロック部材
９−台座
１２〜１６−ギア
２１ａ、２１ｂ−第１のストッパ
２２ａ、２２ｂ−第２のストッパ
【図１】
2005007739.tif 000003
【図２】
2005007739.tif 000004
【図３】
2005007739.tif 000005
【図４】
2005007739.tif 000006
【図５】
2005007739.tif 000007
【図６】
2005007739.tif 000008
【図７】
2005007739.tif 000009